(57)【特許請求の範囲】
【請求項１】
ケース本体上辺に配置された押ボタンと、
前記ケース本体上辺とそれぞれ平行に配置され、かつ、前記押ボタンの動作にもとづき可動接触片を介して導通開閉する共通端子および固定端子からなるスイッチ開閉機構と、
前記ケース本体の一端側に形成した凹所内に、前記共通端子および固定端子のそれぞれの端子部を突出させたコネクタ部と、
ケース本体下辺側に配置した一対の取付穴からなる取付部と、
ケース本体の辺に設けられた係止突起に係止するケースカバーと
からなるマイクロスイッチであって、
ケース本体のコネクタ部の上辺および下辺に、それぞれ凹部を形成するとともに、前記凹部の底面に係止突起を設けて上辺係止部と下辺係止部とを形成し、ケース本体の高さを前記上辺係止部、前記コネクタ部および前記下辺係止部で構成する一方、
前記共通端子の他端側を前記端子部の位置より上方かつ平行に折曲げるとともに、前記共通端子の他端側と前記ケース本体下辺とで囲まれる領域内に前記取付部を配置したことを特徴とするマイクロスイッチ。
【発明の詳細な説明】
【技術分野】
【０００１】
本発明はマイクロスイッチ、特に、コネクタ付きマイクロスイッチに関する。
【背景技術】
【０００２】
従来、パチンコ台のハンドル内に使用される発射開始を指示するマイクロスイッチは、組立性、マイクロスイッチの交換性を考慮し、外部コネクタに接続可能なマイクロスイッチが使用されている。前記ハンドル内には、スイッチの他にタッチセンサやボリュームなど多数の部品が取付けられるとともに、配線が施されている。このため、発射ハンドル内に搭載される前述の部品には、より小型の部品が要求されている（特許文献１）。
【特許文献１】特開２００４−１６７２１３号
【発明の開示】
【発明が解決しようとする課題】
【０００３】
しかしながら、前述のコネクタ付きマイクロスイッチではコネクタ部が増大し、従来のコネクタ部の無いスイッチに比べて外形寸法が大きいので、発射ハンドル内におけるマイクロスイッチ配置の自由度が少ないという問題点がある。
【０００４】
本発明は、前記問題点に鑑み、より小型のマイクロスイッチを提供することを課題とする。
【課題を解決するための手段】
【０００５】
本発明にかかるマイクロスイッチは、前記課題を解決すべく、ケース本体上辺に配置された押ボタンと、前記ケース本体上辺とそれぞれ平行に配置され、かつ、前記押ボタンの動作にもとづき可動接触片を介して導通開閉する共通端子および固定端子からなるスイッチ開閉機構と、前記ケース本体の一端側に形成した凹所内に、前記共通端子および固定端子のそれぞれの端子部を突出させたコネクタ部と、ケース本体下辺側に配置した一対の取付穴からなる取付部と、ケース本体の辺に設けられた係止突起に係止するケースカバーと
からなるマイクロスイッチであって、ケース本体のコネクタ部の上辺および下辺に、それぞれ凹部を形成するとともに、前記凹部の底面に係止突起を設けて上辺係止部と下辺係止部とを形成し、ケース本体の高さを前記上辺係止部、前記コネクタ部および前記下辺係止部で構成する一方、前記共通端子の他端側を前記端子部の位置より上方かつ平行に折曲げるとともに、前記共通端子の他端側と前記ケース本体下辺とで囲まれる領域内に前記取付部を配置した構成としてある。
【発明の効果】
【０００６】
本発明によれば、マイクロスイッチの取付部を、ケース本体内のうち、下方側に位置する共通端子の屈曲された他端側と、ケース本体下辺との間に形成したので、ケース本体の高さ寸法をほぼ外部コネクタの高さ寸法まで小型化でき、より小型のマイクロスイッチが得られるという効果がある。
【発明を実施するための最良の形態】
【０００７】
本発明にかかる実施形態を図１ないし図８の添付図面に従って説明する。
本実施形態は、図１および図２に示すように、パチンコ台１の操作ハンドル２に組み込まれたコネクタ付きマイクロスイッチ１０に適用した場合である。
【０００８】
前記操作ハンドル２の操作カバー３を回動させると、図示しないスイッチがＯＮして玉が打ち出される。そして、必要に応じ、略Ｌ字形のカム部材４を回動させて前記マイクロスイッチ１０を操作することにより、玉の打ち出しを一時的に停止できる。なお、１１は、リード線１２を備え、かつ、前記マイクロスイッチ１０に着脱可能な外部コネクタである（図３Ａ）。
【０００９】
前記マイクロスイッチ１０は、図５に示すように、ケース２０と、共通接点端子３０と、可動接触片４０と、固定接点端子５０と、押しボタン６０と、カバー７０と、操作レバー８０と、からなるものである。
【００１０】
特に、前記マイクロスイッチ１０は、図４Ｂに示すように、側方に開口部を有するケース２０にカバー７０を組み付けて形成したハウジング内を、接点機構を内蔵するマイクロスイッチ本体１３と、一対の取付孔２４ａ，２５ａを並設し、かつ、前記マイクロスイッチ本体１３の下方側に一体化した取付部１４と、前記マイクロスイッチ本体１３および取付部１４の同一片側端部に配置したコネクタ部１５と、で構成してある。
【００１１】
ケース２０は、図６および図７に示すように、側方に開口部を有する箱形状であり、水平仕切り壁２１でマイクロスイッチ本体１３と取付部１４とが仕切られている。また、前記水平仕切り壁２１の縁部には組立治具との衝突を回避するために切り欠き部２１ａが形成されている。さらに、前記ケース２０は、垂直仕切り壁２２で前記マイクロスイッチ本体１３とコネクタ部１５とが仕切られている。そして、前記垂直仕切り壁２２には後述する共通接点端子３０および固定接点端子５０を圧入するための圧入用スリット２２ａ，２２ｂが上下に設けられている。また、前記マイクロスイッチ本体１３内の内向面には、可動接触片４０の動作位置を規制する位置規制用突部２３が突設している。
【００１２】
前記ケース２０の上辺部には、操作レバー８０を回動可能に支持するための軸孔２０ｂを備えた凹部２０ａ、および、押しボタン６０を組み付けるスリット２０ｃが形成されている。
【００１３】
また、前記ケース２０の下辺部には、並設した一対の台部２４，２５に取付孔２４ａ，２５ａがそれぞれ設けられているとともに、前記台部２４，２５の間には断面略楕円形の嵌合用凹部２０ｄが形成されている。また、前記台部２５と隣り合う位置にも嵌合孔２０ｅが設けられている。なお、前記台部２４，２５が水平方向に突き出すように形成されているので、沿面距離を長くできるとともに、取付ネジ（図示せず）の締付力が後述するカバー７０に直接負荷されることがなく、カバー７０の損傷や脱落を防止できる。
【００１４】
さらに、前記コネクタ部１５を構成する前記ケース２０の片側端部には、外部コネクタ１１を挿入するための接続用凹所２０ｆが形成されている。前記接続用凹所２０ｆ内の対向する上下面にはガイド用突条２０ｇ，２０ｇがそれぞれ突設されている。
【００１５】
そして、前記ケース２０の外周面のうち、コネクタ部１５と反対側の端面、前記台部２４，２５間の下面、および、前記コネクタ部１５の上下面に、係止突起２６ａ，２７ａ，２８ａ，２９ａをそれぞれ備えた係合用凹部２６，２７，２８，２９がそれぞれ設けられている。
【００１６】
共通接点端子３０は、肉厚の短冊状導電材にプレス加工を施し、打ち抜いて屈曲することにより、一端側に一対の第１起立部３１および第２起立部３２を対向するように切り起こしてあるとともに、他端部に端子部３３を形成してある。さらに、前記端子部３３の基部には圧入部３４が形成されているとともに、前記圧入部３４の基部には折り曲げ部３５が形成されている。
【００１７】
可動接触片４０は、導電性薄板バネ材にプレス加工を施し、打ち抜いて曲げ起こすことにより、一端側に前記第１起立部３１の外向面に係止可能な係合孔４１を形成してある一方、その他端側に略半円状の復帰バネ部４３を切り起こしてある。そして、前記復帰バネ部４３の自由端部は前記第２起立部３２の外向面に係止可能となっている。さらに、前記可動接触片４０は、その他端部上面に可動接点４２を設けてある。
【００１８】
固定接点端子５０は、図５に示すように、前記共通端子３０と同様、肉厚の短冊状導電材にプレス加工を施し、一端側に突き出し加工で固定接点５１を形成してあるとともに、他端部に端子部５２を形成してある。さらに、前記端子部５２の基部には圧入部５３が形成されているとともに、前記圧入部５３の基部には折り曲げ部５４が形成されている。
【００１９】
押しボタン６０は、前記ケース２０のスリット２０ｃに嵌合可能な断面形状を有し、下面縁部に抜け止め用リブ６１を設けてあるとともに、下面に前記可動接触片に圧接する押圧突起６２が設けられている（図４Ｂ）。
【００２０】
カバー７０は、図８に示すように、前記ケース２０の側方開口部を閉鎖する正面形状を有し、その外周縁部に、前記ケース２０の係合用凹部２６，２７，２８，２９に係合し、かつ、前記係止突起２６ａ，２７ａ，２８ａ，２９ａに係止する４本の枠状弾性爪部７１，７２，７３，７４が形成されている。前記カバー７０の４本の弾性爪部７１，７２，７３，７４がケース２０の係止突起２６ａ，２７ａ，２８ａ，２９ａに４カ所で係止するので、外れにくいという利点がある。また、前記カバー７０は、前記ケース２０の軸孔２０ｂに対応する位置に軸孔７５を設けてある。さらに、前記カバー７０の内向面には、前記嵌合用凹部２０ｄおよび嵌合孔２０ｅにそれぞれ嵌合可能な断面略楕円形の嵌合用突部７６および断面円形の嵌合用突部７７を突設してある。特に、断面略楕円形の嵌合用突部７６は内向面側に長く突出しているため、組み立てる際のガイド機能を有しているだけでなく、前記カバー７０の撓みを効果的に防止する。このため、前記カバー７０が変形しにくくなるので、前記ケース２０からカバー７０の弾性爪部７１，７２，７３，７４がより一層外れにくいという利点がある。
【００２１】
操作レバー８０は、弾性バネ材にプレス加工を施して一端側中央部にスリット８１を形成するとともに、その一端側両側縁部に回動用軸部８２を切り出してある。
【００２２】
そして、前述の構成部品を組み立てる場合には、まず、固定接点端子５０の折り曲げ部５４を図示しない治具で挟持し、側方からケース２０に組み付け、圧入部５３をケース２０のスリット２２ｂに圧入して位置決めする。ついで、共通接点端子３０の第１起立部３１の外向面に可動接触片４０の係合孔４１の縁部を係止するとともに、その第２起立部３２の外向面に復帰バネ部４３の自由端部を係止する。そして、図示しない治具で前記共通接点端子３０の中央縁部を挟持し、側方からケース２０に組み付け、その圧入部３４をケース２０の圧入用スリット２２ａに圧入して位置決めする。この際、ケース２０の水平仕切り壁２１に切り欠き部２１ａを設けてあるので、前記治具を奥側に押し込んで正確に位置決めできる。さらに、前記ケース２０のスリット２０ｃに押しボタン６０を側方から挿入し、前記可動接触片４０上に位置決めする。ついで、前記ケース２０にカバー７０を位置決めし、弾性爪部７１，７２，７３，７４を係止突起２６ａ，２７ａ，２８ａ，２９ａにそれぞれ係止して組み付ける。最後に、操作レバー８０の一端側を圧縮して弾性変形させ、回動軸部８２，８２をケース２０およびカバー７０の軸孔２０ａ，７５にそれぞれ挿入し、回動可能に支持する。
【００２３】
次に、本実施形態にかかるマイクロスイッチ１０の操作方法について説明する。
操作レバー８０に外部から押圧力が負荷されていない場合、復帰バネ部４３のバネ力で前記可動接触片４０が上方に付勢されているため、操作ボタン６０が上方に押し上げられ、可動接点４２が固定接点５１に接触している。
【００２４】
そして、例えば、図２に示す略Ｌ次形のカム部材４を回動させると、前記カム部材４がマイクロスイッチ１０の操作レバー８０を押し下げる。このため、図４および図５に示すように、前記操作レバー８０が回動して操作ボタン６０を押し下げる。すると、操作ボタン６０の押圧突起６２が可動接触片４０を押し下げ、前記可動接触片４０が係合孔４１の縁部を支点として回動する。そして、可動接触片４０が復帰バネ部４３の動作位置を超えると、前記可動接触片４０が瞬時に下方側に回動し、可動接点４２が固定接点５１から開離した後、位置規制用突部２３に当接する。
【００２５】
ついで、前記カム部材４から操作者が手を離して操作を中止すると、操作レバー８０に対する負荷が解除されるため、復帰バネ部４３のバネ力で可動接触片４０が瞬時に上方側に回動し、可動接点４２が固定接点５１に接触し、元の状態に復帰する。
【００２６】
なお、前記マイクロスイッチ１０は操作レバー８０を介して操作する場合に限らず、押しボタン６０を直接押し下げて操作してもよいことは勿論である。
【産業上の利用可能性】
【００２７】
本発明にかかるマイクロスイッチは、パチンコ台の操作ハンドルに限らず、他の産業機器にも適用できる。
【図面の簡単な説明】
【００２８】
【図１】本発明にかかるマイクロスイッチを適用したパチンコ台を示す正面図である。
【図２】図２Ａ，２Ｂ，２Ｃは図１で示したパチンコ台の操作ハンドルを示す斜視図、一部破断斜視図、分解斜視図である。
【図３】図３Ａ，３Ｂ，３Ｃは図２で示したコネクタ付きマイクロスイッチの斜視図、外部コネクタを外したマイクロスイッチの斜視図、異なる角度から視たマイクロスイッチの斜視図である。
【図４】図４Ａ，４Ｂは図３Ｂで示したマイクロスイッチからカバーを外した状態を示す斜視図，正面図である。
【図５】図３Ｂで示したマイクロスイッチの分解斜視図である。
【図６】図６Ａ，６Ｂは図５で示したケースの斜視図である。
【図７】図７Ａ，７Ｂは図５で示したケースの正面図および背面図である。
【図８】図８Ａ，８Ｂは図５で示したカバーの斜視図である。
【符号の説明】
【００２９】
１０：マイクロスイッチ
１３：マイクロスイッチ本体
１４：取付部
１５：コネクタ部
２０：ケース
２０ｄ：嵌合用凹部
２０ｅ：嵌合孔
２１：水平仕切り壁
２１ａ：切り欠き部
２４ａ，２４ｂ：取付孔
３０：共通接点端子
３３：端子部
５０：固定接点端子
５１：固定接点
５２：端子部
７６，７７：嵌合用突部
【図１】
0004692404.tif 000002
【図２】
0004692404.tif 000003
【図３】
0004692404.tif 000004
【図４】
0004692404.tif 000005
【図５】
0004692404.tif 000006
【図６】
0004692404.tif 000007
【図７】
0004692404.tif 000008
【図８】
0004692404.tif 000009